(57)【要約】【課題】敷設後においても、特定が可能なケーブルを提供する。【解決手段】情報処理システムは、ケーブル、及び情報処理装置を含む。ケーブルは、情報処理装置間を接続し、情報を伝達する１以上の第１の芯線と、予め設定された情報に対応付けられた形態または成分を有する１以上の第２の芯線とを含む。情報処理装置は、形態または成分に応じて変化する第２の芯線についてのパラメータを測定し、測定したパラメータに基いて、ケーブルを特定する。【選択図】図１
2015095187.tif 000002
【特許請求の範囲】
【請求項１】
情報処理装置間を接続し、情報を伝達する１以上の第１の芯線と、予め設定された情報に対応付けられた形態または成分を有する１以上の第２の芯線とを含むケーブルと、
前記形態または前記成分に応じて変化する前記第２の芯線についての第１のパラメータを測定し、該測定した第１のパラメータに基いて、前記ケーブルを特定する第１の情報処理装置と、
を含むことを特徴とする情報処理システム。
【請求項２】
前記形態は、前記第２の芯線の長さまたは折り返しパターンである
ことを特徴とする請求項１に記載の情報処理システム。
【請求項３】
前記第２の芯線は、該ケーブルのロット情報に対応付けられたパターンで折り返されている
ことを特徴とする請求項１または２に記載の情報処理システム。
【請求項４】
前記情報処理システムは、さらに、
前記ケーブルを介して前記第１の情報処理装置に接続される第２の情報処理装置と
を備え、
前記第２の情報処理装置は、前記形態または前記成分に応じて変化する前記第２の芯線についての第２のパラメータを測定し、該測定した第２のパラメータを前記第１の情報処理装置に送信し、
前記第１の情報処理装置は、前記第１のパラメータと前記第２のパラメータの整合性がとれているかを判定する
ことを特徴とする請求項１〜３のうちいずれか１項に記載の情報処理システム。
【請求項５】
前記第１のパラメータは、抵抗値、Ｓパラメータ、または時間領域反射率測定による測定値である
ことを特徴とする請求項１〜４のうちいずれか１項に記載の情報処理システム。
【請求項６】
前記ケーブルは、前記第２の芯線と接続された導電性素材のハウジングを有し、
前記第１の情報処理装置は、前記ハウジングを介して、前記第１のパラメータを測定する、
ことを特徴とする請求項１〜５のうちいずれか１項に記載の情報処理システム。
【請求項７】
情報処理装置間を接続し、情報を伝達する１以上の第１の芯線と、予め設定された情報に対応付けられた形態または成分を有する１以上の第２の芯線とを含むケーブルの該第２の芯線の形態または成分に応じて変化する前記第２の芯線についてのパラメータを測定する測定部と、
前記測定されたパラメータに基づいて、前記ケーブルを特定する特定部
を含むことを特徴とする情報処理装置。
【請求項８】
情報を伝達する１以上の芯線と、
予め設定された情報に対応付けられた形態または成分を有する１以上の第２の芯線と
を備えることを特徴とするケーブル。
【発明の詳細な説明】
【技術分野】
【０００１】
本発明は、通信用のケーブルに関する。
【背景技術】
【０００２】
通信用のケーブルは量産品であり、使用される本数が多い。また、ケーブル自体の特性が問題となることは稀である。そのため、ケーブルの詳細なロット管理はなされていないという現状がある。
【０００３】
また、最近は高速伝送への対応等から、ロットによって通信用ケーブルの特性が変わる場合があり、敷設後にどのケーブルロットがどこに敷設されているかを知り、対処が必要になる場合もある。
【０００４】
例えば、ケーブルで接続された情報処理システムに関する技術として、以下の第１〜４の技術が知られている。
【０００５】
第１の技術に関する方法は、インピーダンス測定回路を伝送媒体、高インピーダンス状態の受信機に結合し、ディエンファシス制御装置によってインピーダンス測定回路をイネーブルする。第１の技術に関する方法は、これにより、伝送媒体を介して受信機に結合されている送信機ドライバのディエンファシスを設定する。このインピーダンス測定回路は、不平衡負荷の伝送媒体である伝送媒体の線路インピーダンス及び線路長の少なくとも一方を測定する。このディエンファシス制御装置は、測定された線路インピーダンスと線路長の少なくとも一方に基づいてドライバの利得を設定する。
【０００６】
第２の技術に関するＴＤＲ（Time Domain Reflectometry、時間領域反射率測定）タイミング校正方法では、ＩＣソケットのＤＵＴ（Device Under Test、被試験デバイス）端を接地し、ｉ（ｉ＝１，２）ピン対応回路より試験波形を第ｉ（ｉ＝１，２）伝送線路の一端に印加する。次にＴＤＲタイミング校正方法は、他端側のＩＣソケットのＤＵＴ端で全反射して戻って来る迄の往復の伝搬遅延時間２×τｉｇ（ｉ＝１，２）をそれぞれ測定する。そしてＴＤＲタイミング校正方法は、その測定データを用いて第ｉ（ｉ＝１，２）ピン対応回路のスキュー調整用可変遅延回路の遅延量を調整して、各ピン対応回路の試験波形のＤＵＴ端におけるタイミングを校正する。
【０００７】
第３の技術に関する伝送路評価方法は、記憶装置に記憶された波形データに基づいて波形生成器が生成した評価信号が、評価対象である伝送路の一端に入力される第１のステップを含む。さらに伝送路評価方法は、伝送路の他端から出力される出力信号についての波形データが、波形生成器による評価信号の生成のための新たなる波形データとして記憶装置に書き込まれる第２のステップを含む。さらに伝送路評価方法は、第１のステップおよび第２のステップが所定の回数繰り返し実行されることによって生成された伝送路２の他端から出力される出力信号に基づいて、評価装置により伝送路の特性を評価する第３のステップを含む。
【０００８】
第４の技術では、ＴＤＲの技法を使用して、非破壊的で、完全自動化され、可変のケーブル及びインピーダンスを基にした、多重化されたケーブルテストシステムが述べられている。このシステムは、特性の異なる複数のケーブルタイプを一度に処理することができ、テスト中のケーブルタイプの特性と、定義され処理されたインピーダンス変動のためにその稼働中に直面したいかなる不連続性の両方を確認して処理することができる。さらにまた、このシステムにより、広範囲のリアルタイム診断及び予測データが得られ、前記データ及び／又はさらにケーブルの長さに沿ったインピーダンス変動のマッピング（これに限定されるものではないが）を含む不連続性の正確な位置や解釈を提供する。
【先行技術文献】
【特許文献】
【０００９】
【特許文献１】特開２０１１−１９９８２２号公報
【特許文献２】特開２０００−９８０１号公報
【特許文献３】特開２０１０−２５６１２３号公報
【特許文献４】特表２００４−５２９３７０号公報
【発明の概要】
【発明が解決しようとする課題】
【００１０】
システム管理者は、所定のロット情報をもつ通信用のケーブルが情報処理システムの何処に使用されているかについては、ケーブルの敷設時に別途情報を記録して管理していなければ知ることができない。
【００１１】
そこで、１つの側面では、本発明は、敷設後においても、特定が可能なケーブルを提供することを目的とする。
【課題を解決するための手段】
【００１２】
一態様の情報処理システムは、ケーブル、及び情報処理装置を含む。ケーブルは、情報処理装置間を接続し、情報を伝達する１以上の第１の芯線と、予め設定された情報に対応付けられた形態を有する１以上の第２の芯線とを含む。情報処理装置は、形態に応じて変化する第２の芯線についてのパラメータを測定し、測定したパラメータに基いて、ケーブルを特定する。
【発明の効果】
【００１３】
一実施態様によれば、敷設後においても、特定が可能なケーブルを提供することができる。
【図面の簡単な説明】
【００１４】
【図１】本実施形態にかかる情報処理システムの構成の一例を示す。
【図２】実施形態１にかかるケーブルで接続された情報処理システムの構成の一例を示す。
【図３】管理情報の構成の一例を示す。
【図４】ロット管理用芯線の折り返しのパターンを説明するための図である。
【図５】第１の情報処理装置のハードウェア構成の一例を示す。
【図６】実施形態２にかかるケーブルで接続された情報処理システムの構成の一例を示す。
【図７】実施形態３にかかるケーブルの構成の一例を示す。
【図８】実施形態３にかかるケーブルで接続された情報処理システムの構成の一例を示す。
【図９】実施形態４にかかるケーブルで接続された情報処理システムの構成の一例を示す。
【図１０】実施形態４にかかる第９の情報処理装置の処理部の処理内容を図解したフローチャートである。
【図１１】実施形態４にかかる第９の情報処理装置の位置情報抽出部の処理内容を図解したフローチャートである。
【発明を実施するための形態】
【００１５】
図１は、本実施形態にかかる情報処理システムの構成の一例を示す。図１において、情報処理システムは、第１の情報処理装置２、及び第２の情報処理装置３を含む。第１の情報処理装置２と第２の情報処理装置３はケーブル１で接続される。
【００１６】
ケーブル１は情報処理装置間を接続する。そしてケーブル１は、情報を伝達する１以上の第１の芯線４と、予め設定された情報に対応付けられた形態または成分を有する１以上の第２の芯線５とを含む。また、予め設定された情報に対応付けられた形態は、第２の芯線５の長さまたは折り返しパターンである。また第２の芯線５は、ケーブル１のロット情報に対応付けられたパターンで折り返されている。またケーブル１は、第２の芯線５と接続された導電性素材のハウジングを有する。
【００１７】
第１の情報処理装置２は、第２の芯線５の形態または成分に応じて変化する第２の芯線５についての第１のパラメータを測定し、測定した第１のパラメータに基いて、ケーブルを特定する。また第１の情報処理装置２は、ハウジングを介して、第１のパラメータを測定する。
【００１８】
第２の情報処理装置３は、第２の芯線５の形態または成分に応じて変化する第２の芯線５についての第２のパラメータを測定し、測定した第２のパラメータを第１の情報処理装置２に送信する。第１の情報処理装置２は第２のパラメータを受信すると、第１のパラメータと第２のパラメータの整合性がとれているか否かを判定する。
【００１９】
第１のパラメータは、抵抗値、Ｓパラメータ、または時間領域反射率測定による測定値である。
【００２０】
ロット情報は、例えば、ケーブルの製品番号や製造年月日等の情報であり、複数の管理対象ケーブルのうちケーブル毎に一意に割り当てられる情報である。
【００２１】
本実施形態にかかるケーブル１は、管理対象とする複数のケーブルのうち、ケーブル毎に固有の値となるパラメータを測定可能とし、そのパラメータをロット情報と紐付けることによって、ケーブルのロット情報の特定を可能とする。測定可能なパラメータがケーブル固有の値となるようにするために、ケーブルの芯線が用いられる。このようにすることで、例えば固有のパラメータをケーブルに保持させるためにメモリ等の半導体回路をケーブルに組み込む等の、ケーブルアセンブリの工程に加える変更を、最小に抑えることができる。
【００２２】
（実施形態１）
図２は、実施形態１にかかるケーブルで接続された情報処理システムの構成の一例を示す。図２において、情報処理システムは、第３の情報処理装置２１、及び第４の情報処理装置２２を含む。第３の情報処理装置２１と第４の情報処理装置２２はケーブル２３で接続される。
【００２３】
第３の情報処理装置２１は第１の情報処理装置２の一例である。第４の情報処理装置２２は第２の情報処理装置３の一例である。ケーブル２３はケーブル１の一例である。
【００２４】
ケーブル２３は、情報伝達用芯線２４とロット管理用芯線２５を含む。情報伝達用芯線２４は第１の芯線４の一例である。ロット管理用芯線２５は第２の芯線５の一例である。
【００２５】
情報伝達用芯線２４は、ケーブル２３の両端のハウジングＡとハウジングＢとを接続し、信号を伝達する。この情報伝達用芯線２４は、ケーブル本来の用途で用いられるものである。
【００２６】
ロット管理用芯線２５は、ケーブル２３のロット情報を特定するために用いられる。ロット管理用芯線２５は、ケーブル２３内部でハウジングＡとハウジングＢとの間で１回以上折り返されて接続される。この折り返しのパターンを管理対象の複数のケーブルのうちのケーブル毎に変化させることで、ロット管理用芯線２５の長さが調整される。各ケーブルのロット管理用芯線２５の長さが管理対象の複数のケーブルのうちで一意となるように、ケーブル毎に折り返しのパターンを変化させることで、ロット管理用芯線２５の長さに応じて一意に決定されるパラメータは、各ケーブルで一意な値となる。したがって、このようなロット管理用芯線２５の長さに応じて一意に決定されるパラメータを測定することで、管理対象の複数のケーブルのうち各ケーブルに固有の値を取得することができる。ロット管理用芯線２５の長さに応じて一意に決定されるパラメータとしては、例えば、ロット管理用芯線２５の、抵抗値、ＴＤＲ（Time Domain Reflectometry、時間領域反射率測定）で測定した値、回路網の特性を示すＳパラメータ値等がある。尚、測定するパラメータをＳパラメータとする場合は、ロット管理用芯線２５は、ツイストペアやツインナックス等、複数の芯線から構成されてもよい。
【００２７】
尚、ここでは、ロット管理用芯線２５の長さを調整することにより、測定するパラメータを一意となるようにしたが、例えばロット管理用芯線２５の成分（成分量の割合）を調整することにより、パラメータを管理対象のケーブル毎に一意となるようにしてもよい。具体的には例えば、ロット管理用芯線２５の導体に不純物を添加し、この不純物の添加量を、管理対象の複数のケーブルのうちのケーブル毎に調整（変更）することによって、例えば抵抗値等の測定するパラメータをケーブル毎に変更してもよい。
【００２８】
第４の情報処理装置２２は、第３の情報処理装置２１に対して、ケーブル２３の情報伝達用芯線２４を介して情報の送受信を行う。
【００２９】
第３の情報処理装置２１は、記憶部２６、処理部２７、及び計測部２８を含む。
記憶部２６は、管理情報を記憶する。管理情報は、ケーブルのロット情報とパラメータの値とを１対１で対応付けた情報である。管理情報は、測定したケーブルのパラメータから、そのパラメータに対応付けられたロット情報を特定するために用いられる。尚、管理情報において、ロット情報とパラメータの値は１対１で対応付けられており、パラメータの値はロット管理用芯線２５の長さに応じて一意に決定されるものである。よって、管理対象の複数のケーブルのうちの各ケーブルのロット管理用芯線２５の長さはロット情報に対応付けられているともいえる。
【００３０】
図３は、管理情報３０の構成の一例を示す。管理情報３０は、ロット情報３１、及びパラメータ３２のデータ項目を含む。ロット情報３１は、管理対象の複数のケーブルのうち各ケーブルに一意に割当てられたロット情報である。パラメータ３２は、ロット情報３１に対応するケーブルの、ロット管理用芯線２５の長さに応じて一意に決定されるパラメータである。各ケーブルのロット情報３１及びパラメータ３２の値は、ケーブルの出荷時点または敷設前等に、予め管理情報３０の各レコードに格納されるものとする。
【００３１】
尚、以下の説明では、ロット管理用芯線２５の長さに応じて一意に決定されるパラメータを単にパラメータと記す場合がある。
【００３２】
処理部２７は、ロット管理用芯線２５のパラメータ及び管理情報３０に基いて、ケーブル２３のロット情報を特定する。具体的には先ず処理部２７は、ロット管理用芯線２５のパラメータの測定を計測部２８に指示し、測定されたパラメータを計測部２８から受信する。そして処理部２７は、管理情報３０のレコードのうち、パラメータ３２の値が、受信したパラメータと一致するレコードを抽出し、抽出したレコードのロット情報３１の値を取得する。このようにして処理部２７はケーブル２３のロット情報を特定する。
【００３３】
計測部２８は、処理部２７からロット管理用芯線２５のパラメータの測定指示を受信し、ロット管理用芯線２５のパラメータを測定する。そして計測部２８は、測定したロット管理用芯線２５のパラメータを処理部２７に送信する。
【００３４】
尚、測定するパラメータは芯線の長さに応じて一意に決定されるパラメータとしたが、折り返しのパターンに応じて一意に決定されるパラメータとしてもよい。このようなパラメータには、例えばＴＤＲにより測定した値等がある。ＴＤＲにおいては、高速なパルスやステップ信号をロット管理用芯線２５に印加し、返ってくる反射波形を用いて、特性インピーダンスの変化が検出される。これにより、ロット管理用芯線２５の折り返しのパターンを検出できる。例えばＴＤＲによる測定ではロット管理用芯線２５の折り返しの回数が検出できるので、パラメータとして折り返しの回数を採用してもよい。
【００３５】
尚、計測部２８によるロット管理用芯線２５のパラメータの測定処理、及び、処理部２７によるパラメータと管理情報３０とに基いてケーブル２３のロット情報を特定する処理は、ユーザにより別の装置等を用いて行われてもよい。例えば、ロット管理用芯線２５のパラメータの測定は、可搬型の測定装置等を用いて測定されてもよいし、その測定値がユーザにより処理部２７に入力されて、入力された測定値と管理情報３０に基づいて処理部２７がロット情報を特定してもよい。
【００３６】
また、ロット管理用芯線２５は複数本で構成されてもよい。すなわち、複数のロット管理用芯線２５のパラメータの値の組み合わせに対して、一意にロット情報を対応付けて、管理情報３０で管理してもよい。
【００３７】
次にロット管理用芯線２５のケーブル２３内での折り返しについて説明する。
各ケーブルのロット管理用芯線２５は、管理対象ケーブルの全てのケーブルのうちで、ロット管理用芯線２５の長さが一意となるように折り返される。ただし、測定対象のパラメータが、折り返しのパターンに応じて一意に決定されるパラメータである場合には、各ケーブルの折り返しのパターンが、管理対象の複数のケーブルのうちで一意となるように折り返す。
【００３８】
具体的には例えば、管理対象の複数のケーブルのうちのケーブル毎に、折り返しの位置と回数の組み合わせが一意となるように折り返される。ただし、折り返しの位置と回数の組み合わせが異なる場合でも、ロット管理用芯線２５の長さが同じになるような組み合わせの集合が存在する。そのような組み合わせの集合については、集合のうちのいずれか１つの組み合わせが、折り返しのパターンとして採用されるようにする。
【００３９】
図４Ａ及び図４Ｂは、ロット管理用芯線２５の折り返しのパターンを説明するための図である。例えば図４Ａのように２回折り返す場合、情報伝達用芯線２４の長さをＸとし、ロット管理用芯線２５の、一端からの第１の折り返し点までの距離をＹ、他端から第２の折り返し点までの距離をＺとする。すると、（Ｙ＜Ｘ、Ｚ＜Ｘ）且つ（Ｘ≦Ｙ＋Ｚ）を満たす（Ｙ、Ｚ）の組み合わせが管理対象の複数のケーブルのうちで一意となるように、各管理対象ケーブルのロット管理用芯線２５を折り返す。ただし、（Ｙ、Ｚ）と（Ｙ’、Ｚ’）、（Ｙ≠Ｚ）の２つの組み合わせのうちで、（Ｙ’＝Ｚ、Ｚ’＝Ｙ）となる場合は、芯線の長さが同じになるので、どちらか一方の組み合わせは除くものとする。例えばケーブル毎に、Ｙの値とＺの値を１（ｃｍ（centimeter））ずつずらすようにして、各々のケーブルの折り返しを行ってもよい。
【００４０】
図４Ｂは、ロット管理用芯線２５が４回折り返された場合のケーブルの一例である。図４Ｂのようにロット管理用芯線２５は４回またはそれ以上の回数折り返すことが可能である。折り返しの回数を多くすることで、より多くの折り返しのパターンを実現することができる。
【００４１】
ロット管理用芯線２５の長さのケーブル毎の差異（折り返しのパターンのケーブル毎の差異）の程度は、パラメータの測定装置の測定精度に応じて変更することができる。すなわち、例えば測定装置の測定精度が悪い場合には、所定のケーブルと他のケーブルとの長さ（折り返しのパターン）の差異を大きくすることができる。また、管理対象のケーブルの総数、すなわちロット情報の総数に応じて、ロット管理用芯線２５の長さのケーブル毎の差異（折り返しのパターンのケーブル毎の差異）の程度を変更してもよい。
【００４２】
このように構成することで、ケーブルの敷設後も、ケーブルのパラメータを測定することにより、ケーブルを一意に判別することができる。そして、ケーブルのパラメータの値と、ロット情報とを対応付けることによって、敷設後のケーブルのロット情報の特定が可能となる。また、第３の情報処理装置２１は、例えば第３の情報処理装置２１に接続されていたケーブル２３が別のケーブルに変更された場合に、ケーブル２３が変更されたことを認識することができ、また、変更後のケーブルのロット情報を自動で特定することができる。
【００４３】
また、ロット情報を特定するための手段としてケーブルの芯線を用いることにより、ケーブルアセンブリの工程を大きく変更することなく、ケーブル自体にロット情報を特定するための情報を持たせることができる。
【００４４】
次に、第３の情報処理装置２１の構成について説明する。図５は、第３の情報処理装置２１のハードウェア構成の一例を示す。
【００４５】
第３の情報処理装置２１は、ＣＰＵ（Central Processing Unit）１０１、メモリ１０２、記憶装置１０３、読取装置１０４、通信インターフェース１０５、入力インターフェース１０６、出力インターフェース１０７、及び測定装置１０８を含む。ＣＰＵ１０１、メモリ１０２、記憶装置１０３、読取装置１０４、通信インターフェース１０５、入力インターフェース１０６、出力インターフェース１０７、及び測定装置１０８はバスを介して接続される。
【００４６】
ＣＰＵ１０１は、メモリ１０２を利用して処理部２７の一部または全部の機能を提供する。
【００４７】
メモリ１０２は、例えば半導体メモリであり、ＲＡＭ（Random Access Memory）領域およびＲＯＭ（Read Only Memory）領域を含んで構成される。記憶装置１０３は、例えばハードディスクであり、実施形態のプログラムを格納する。なお、記憶装置１０３は、フラッシュメモリ等の半導体メモリであってもよい。また、記憶装置１０３は、外部記録装置であってもよい。記憶装置１０３は、記憶部２６の一例である。
【００４８】
読取装置１０４は、ＣＰＵ１０１の指示に従って着脱可能記憶媒体１５０にアクセスする。着脱可能記憶媒体１５０は、たとえば、半導体デバイス（ＵＳＢメモリ等）、磁気的作用により情報が入出力される媒体（磁気ディスク等）、光学的作用により情報が入出力される媒体（ＣＤ−ＲＯＭ、ＤＶＤ等）などにより実現される。尚、読取装置１０４は第３の情報処理装置２１に含まれなくてもよい。
【００４９】
通信インターフェース１０５は、ケーブル２３を介して第４の情報処理装置２２と接続し、情報を送受信する。通信インターフェース１０５は、回路で構成されてもよい。
【００５０】
入力インターフェース１０６は、入力装置に接続する。尚、入力インターフェース１０６は、第３の情報処理装置２１に含まれなくてもよい。
【００５１】
出力インターフェース１０７は、出力装置に接続する。尚、出力インターフェース１０７は、第３の情報処理装置２１に含まれなくてもよい。
【００５２】
測定装置１０８は、ケーブル２３のロット管理用芯線２５のパラメータを測定する。測定装置１０８は計測部２８の一例である。例えば、測定するパラメータが抵抗値である場合には、測定装置１０８は抵抗値測定回路である。抵抗値測定回路は、例えば、ロット管理用芯線２５に電圧をかけて、電流計を用いてロット管理用芯線２５に流れる電流を計測し、その電圧と電流とからロット管理用芯線２５の抵抗値を算出する。その場合、例えば図２においては、ロット管理用芯線２５の第４の情報処理装置２２側の端は、グラウンドに接地されるものとするか、または、例えば、ケーブル２３に含まれるアース線を利用して、ロット管理用芯線２５の両端の電位差が算出できるように接続する。その他の抵抗値測定回路としては、例えばホイートストンブリッジが挙げられる。また例えばパラメータがＴＤＲで測定した値である場合には、測定装置１０８はＴＤＲ測定回路である。パラメータがＳパラメータである場合には、測定装置１０８はＳパラメータ測定回路である。Ｓパラメータ測定回路は例えば、反射波と位相等からＳパラメータを測定可能なネットワークアナライザである。また、測定装置１０８は可搬型の装置としてもよい。
【００５３】
実施形態のプログラムは、例えば、下記の形態で第３の情報処理装置２１に提供される。
（１）記憶装置１０３に予めインストールされている。
（２）着脱可能記憶媒体１５０により提供される。
（３）プログラムサーバ（図示せず）から通信インターフェース１０５を介して提供される。
【００５４】
さらに、実施形態の第３の情報処理装置２１の一部は、ハードウェアで実現してもよい。或いは、実施形態の第３の情報処理装置２１は、ソフトウェアおよびハードウェアの組み合わせで実現してもよい。
【００５５】
尚、管理対象の複数のケーブルのうち、各ケーブルのロット管理用芯線２５の長さを変更させるために、ロット管理用芯線２５を折り返すのではなく、種々の方法を用いても良い。例えば、情報伝達用芯線２４と並行した状態のロット管理用芯線２５に対して、ケーブル内で所定の歪みを加えることによって、ロット管理用芯線２５の長さをケーブル毎に変更させてもよい。
【００５６】
尚上述したように、本実施形態ではロット管理用芯線２５の長さを調整することにより、測定するパラメータが一意となるようにしたが、例えばロット管理用芯線２５の成分（成分量の割合）を調整することにより、パラメータがケーブル毎に一意となるようにしてもよい。例えば、ロット管理用芯線２５の導体に不純物を添加し、この不純物の添加量を調整することによって、例えば抵抗値等の測定するパラメータをケーブル毎に変更する。そして、このような不純物の添加量を調整することにより管理対象の複数のケーブルのうちで一意に決定される、例えば抵抗値等を計測部２８が測定することで、管理対象の複数のケーブルのうち各ケーブルに固有の値を取得する。そしてロット管理用芯線２５のパラメータ及び管理情報３０に基いて、処理部２７は、ケーブル２３のロット情報を特定する。このように、ロット管理用芯線２５の導体に含まれる不純物の量を調整することにより、ケーブルを折り返したのと同様な効果により、本構成の一実施例としてもよい。これは以下の実施形態２〜４でも同様である。
【００５７】
尚、第３の情報処理装置２１が設置された環境（例えばデータセンタ）内の他の装置からネットワークを介して、他の装置に接続されたケーブルのパラメータを収集し、複数の情報処理装置に接続されたケーブルのロット情報を一元的に管理する構成としてもよい。
【００５８】
（実施形態２）
実施形態２にかかる情報処理システムは、ケーブルのロット管理用芯線のパラメータを、ケーブルによって接続される２つの情報処理装置の両方で測定し、測定の結果を比較することで、測定したパラメータの整合性の検証を行う。
【００５９】
図６は、実施形態２にかかる、ケーブルで接続された情報処理システムの構成の一例を示す。図６において、情報処理システムは、第５の情報処理装置４１、及び第６の情報処理装置４２を含む。第５の情報処理装置４１と第６の情報処理装置４２はケーブル２３で接続される。尚、実施形態２のケーブル２３は、実施形態１で説明したものと同様である。
【００６０】
第５の情報処理装置４１は第１の情報処理装置２の一例である。第６の情報処理装置４２は第２の情報処理装置３の一例である。ケーブル２３はケーブル１の一例である。
【００６１】
第５の情報処理装置４１は、記憶部４３、処理部４４、及び計測部４５を含む。
記憶部４３は、管理情報３０を記憶する。管理情報３０は実施形態１の管理情報３０と同様である。
【００６２】
処理部４４は、第６の情報処理装置４２が測定したロット管理用芯線２５のパラメータを、例えば、情報伝達用芯線２４を介して第６の情報処理装置４２から取得する。また処理部４４は、計測部４５にロット管理用芯線２５のパラメータの測定を指示し、測定結果を計測部４５から取得する。ここで、以下の説明では第５の情報処理装置４１が測定したパラメータを第１の測定値と記し、第６の情報処理装置４２が測定したパラメータを第２の測定値と記す。処理部４４は、計測部４５から取得した第１の測定値と、第４の情報処理装置から取得した第２の測定値とを比較し、第１の測定値と第２の測定値とでの整合性が取れているかを判定する。そして処理部４４は、第１の測定値と第２の測定値が一致した場合に、ロット管理用芯線２５のパラメータの測定結果が正常であると判定する。また、第１の測定値と第２の測定値が一致しない場合、処理部４４は、パラメータの測定結果が異常であると判定する。
【００６３】
パラメータの測定結果が異常であると判定した場合、処理部４４は異常処理を行う。異常処理としては、例えば、処理部４４はパラメータの再測定を行ってもよい。すなわち処理部４４は先ず、第６の情報処理装置４２に対してロット管理用芯線２５のパラメータの再測定を指示し、その応答として、再測定された結果の第２の測定値を第６の情報処理装置４２から取得する。次に、処理部４４は第１のパラメータの再測定の指示を計測部４５に指示し、再測定したパラメータを計測部４５から取得する。そして処理部４４は再測定した第１のパラメータと、再取得した第２のパラメータとを比較して、再測定の結果が正常か否かを判定する。
【００６４】
その他の異常処理としては、測定結果が異常である旨のメッセージを、第５の情報処理装置４１の出力装置に出力してもよい。尚、測定結果が異常であると判定される場合は、例えば、ロット管理用芯線２５が断線しているかあるいは短絡等が発生している可能性が考えられる。
【００６５】
パラメータの測定結果が正常であると判定した場合、処理部４４は、一致したパラメータ及び管理情報３０に基いて、ケーブル２３のロット情報を特定する。すなわち処理部４４は、管理情報３０のレコードのうち、パラメータ３２の値が、測定したパラメータと一致するレコードを抽出し、抽出したレコードのロット情報３１の値を取得する。このようにして処理部４４はケーブル２３のロット情報を特定する。
【００６６】
計測部４５は、処理部４４からロット管理用芯線２５のパラメータの測定指示を受信し、ロット管理用芯線２５のパラメータを測定する。そして計測部４５は、測定したロット管理用芯線２５のパラメータを処理部４４に送信する。また例えば処理部４４からパラメータの再測定指示を受信した場合は、計測部４５は、ロット管理用芯線２５のパラメータを再測定して、再測定したパラメータを処理部４４に送信してもよい。
【００６７】
第６の情報処理装置４２は、指示処理部４６、及び測定部４７を含む。
指示処理部４６は、ロット管理用芯線２５の第２のパラメータの測定を測定部４７に指示し、測定された第２のパラメータを測定部４７から受信する。そして受信した第２のパラメータを指示処理部４６は、例えば情報伝達用芯線２４を介して、第５の情報処理装置４１に送信する。
【００６８】
また例えば第５の情報処理装置４１からパラメータの再測定指示を受信すると、指示処理部４６は、測定部４７に第２のパラメータの再測定を測定部４７に指示し、再測定された第２のパラメータを測定部４７から受信する。そして、指示処理部４６は、再測定された第２のパラメータを第５の情報処理装置４１に送信してもよい。
【００６９】
測定部４７は、指示処理部４６からロット管理用芯線２５のパラメータの測定指示を受信し、ロット管理用芯線２５のパラメータを測定する。そして測定部４７は、測定したロット管理用芯線２５のパラメータを指示処理部４６に送信する。
【００７０】
尚、第５の情報処理装置４１は、第５の情報処理装置４１と第６の情報処理装置４２を接続する他のネットワークを介して、第２のパラメータを取得してもよい。
【００７１】
第５の情報処理装置４１及び第６の情報処理装置４２のハードウェア構成は、図５と同様である。
【００７２】
第５の情報処理装置４１においては、図５のＣＰＵ１０１は、処理部４４の一部または全部の機能を提供する。また記憶装置１０３は記憶部４３の一例である。また測定装置１０８は計測部４５の一例である。
【００７３】
第６の情報処理装置４２においては、図５のＣＰＵ１０１は、指示処理部４６の一部または全部の機能を提供する。また測定装置１０８は測定部４７の一例である。
【００７４】
（実施形態３）
実施形態３にかかるケーブルは、ロット管理用芯線のパラメータの測定を、ケーブルのピンを介さずに行うことができる。
【００７５】
図７は、実施形態３にかかるケーブルの構成の一例を示す。図７において、ケーブル５３は、情報伝達用芯線５４とロット管理用芯線５５を含む。情報伝達用芯線５４は、実施形態１のケーブル２３の情報伝達用芯線２４と同様である。
【００７６】
ロット管理用芯線は、実施形態１のケーブル２３と同様に、ケーブル５３のロット情報を特定するために用いられる。ただし、ケーブル５３の両端のハウジングは、金属または導電性素材で構成される。これにより、ロット管理用芯線５５は、ピンを介さずにハウジングの所定の位置で外部と接続が可能となる。それ以外は、ロット管理用芯線５５は、実施形態１のケーブル２３のロット管理用芯線２５と同様である。
【００７７】
図８は、実施形態３にかかるケーブルで接続された情報処理システムの構成の一例を示す。図８において、情報処理システムは、第７の情報処理装置５１、及び第８の情報処理装置５２を含む。第７の情報処理装置５１と第８の情報処理装置５２はケーブル５３で接続される。第８の情報処理装置５２は、実施形態１の第４の情報処理装置２２と同様である。
【００７８】
第７の情報処理装置５１は第１の情報処理装置２の一例である。第８の情報処理装置５２は第２の情報処理装置３の一例である。ケーブル５３はケーブル１の一例である。情報伝達用芯線５４は第１の芯線４の一例である。ロット管理用芯線５５は第２の芯線５の一例である。
【００７９】
第７の情報処理装置５１は、記憶部５６、処理部５７、及び計測部５８を含む。
記憶部５６は、管理情報３０を記憶する。管理情報３０は実施形態１の管理情報３０と同様である。
【００８０】
処理部５７は、ロット管理用芯線５５のパラメータの測定を計測部５８に指示し、測定されたパラメータを計測部５８から受信する。ロット管理用芯線５５のパラメータの取得処理以外は、実施形態１の処理部２７と同様である。
【００８１】
計測部５８は、処理部５７からロット管理用芯線５５のパラメータの測定指示を受信し、ケーブル５３のピンを介さずにハウジングの所定の位置に接続されたコネクタまたはプラグ等を介して、ロット管理用芯線５５のパラメータの測定を行う。ここで例えばパラメータが抵抗値である場合には、ハウジングの抵抗も含めた値がパラメータとして測定されてもよい。そして計測部５８は、測定したロット管理用芯線５５のパラメータを処理部５７に送信する。
【００８２】
実施形態３のケーブル５３は、ハウジングが金属または導電性素材で構成されるため、ピンを介さずにハウジングの所定の位置で外部との接続が可能となる。そのため、ロット管理用芯線５５に対するピンを削減することができる。その結果、ケーブル５３のアセンブリ工程においてロット管理用芯線５５に対応するピンの作製に関わる工程を削減でき、ケーブル作成のコストの削減が可能となる。
【００８３】
また、ロット管理用芯線５５は、ケーブル両端に接続された情報処理装置間の電位差をなくすために使用することもできる。
【００８４】
尚、第５の情報処理装置のハードウェア構成は、図５と同様である。第７の情報処理装置５１においては、図５のＣＰＵ１０１は、処理部５７の一部または全部の機能を提供する。また記憶装置１０３は記憶部５６の一例である。また測定装置１０８は計測部５８の一例である。
【００８５】
（実施形態４）
実施形態４にかかる情報処理システムにおける情報処理装置は、ユーザからロット情報の入力を受け付け、入力されたロット情報に対応するケーブル２３の、情報処理システムにおける位置情報を出力する。
【００８６】
図９は、実施形態４にかかる、ケーブルで接続された情報処理システムの構成の一例を示す。図９において、情報処理システムは、第９の情報処理装置６１、及び第１０の情報処理装置６２を含む。第９の情報処理装置６１と第１０の情報処理装置６２はケーブル２３で接続される。尚、実施形態４のケーブル２３は、実施形態１で説明したものと同様である。
【００８７】
第９の情報処理装置６１は第１の情報処理装置２の一例である。第１０の情報処理装置６２は第２の情報処理装置３の一例である。ケーブル２３はケーブル１の一例である。
【００８８】
第９の情報処理装置６１は、記憶部６３、処理部６４、計測部６５、及び位置情報抽出部６６を含む。
【００８９】
処理部６４は、ロット管理用芯線２５のパラメータの測定を計測部６５に指示し、測定されたパラメータを計測部６５から受信する。それとともに処理部６４は、ケーブル２３の位置情報を取得する。ケーブル２３の位置情報は、ケーブル２３が情報処理システムの何処に接続されているのかを判別するための情報である。例えば、位置情報は、情報処理装置の識別情報（ホスト名等）及びケーブル２３が接続された入出力インターフェースのデバイス番号やスロット番号等である。ケーブル２３の位置情報の取得は、例えば第９の情報処理装置６１で稼動するＯＳ（Operating System）のコマンドを介して行われてもよい。
【００９０】
次に処理部６４は、測定したパラメータと、記憶部に記憶された管理情報３０とを用いて、実施形態１と同様に、ケーブル２３のロット情報を特定する。そして処理部６４は、特定したロット情報と取得した位置情報とを対応付けて、位置管理情報として記憶部６３に格納する。
【００９１】
記憶部６３は、管理情報３０と位置管理情報を記憶する。管理情報３０は実施形態１の管理情報３０と同様である。位置管理情報は、ロット情報とそのロット情報に対応付けられた位置情報とを含む情報である。
【００９２】
計測部６５は、処理部６４からロット管理用芯線２５のパラメータの測定指示を受信し、ロット管理用芯線２５のパラメータを測定する。そして計測部６５は、測定したロット管理用芯線２５のパラメータを処理部６４に送信する。
【００９３】
位置情報抽出部６６は、所定の入力装置を介してユーザからのロット情報の入力を受け付ける。次に位置情報抽出部６６は、入力されたロット情報に対応付けられた位置情報を、位置管理情報から取得する。そして位置情報抽出部６６は、取得した位置情報を所定の出力装置に出力する。
【００９４】
図１０は、実施形態４にかかる第９の情報処理装置６１の処理部６４の処理内容を図解したフローチャートである。
【００９５】
図１０において、先ず処理部６４は、ロット管理用芯線２５のパラメータの測定を計測部６５に指示し、測定されたパラメータを計測部６５から取得する（Ｓ２０１）。次に処理部６４は、ケーブル２３の位置情報を取得する（Ｓ２０２）。次に処理部６４は、測定したパラメータと管理情報３０に基いてロット情報を取得する（Ｓ２０３）。次に処理部６４は、Ｓ２０３で取得したロット情報を、Ｓ２０２で取得した位置情報と対応付けて、位置管理情報として、記憶部６３に格納する（Ｓ２０４）。そして処理は終了する。
【００９６】
図１１は、実施形態４にかかる第９の情報処理装置６１の位置情報抽出部６６の処理内容を図解したフローチャートである。
【００９７】
図１１において、先ず位置情報抽出部６６は、ユーザからロット情報の入力を受け付ける（Ｓ３０１）。次に位置情報抽出部６６は、位置管理情報から、Ｓ３０１で入力されたロット情報に対応する位置情報を取得する（Ｓ３０２）。次に位置情報抽出部６６は、Ｓ３０２で抽出した位置情報を、所定の出力装置に出力する（Ｓ３０３）。そして処理は終了する。
【００９８】
次に、第９の情報処理装置６１のハードウェア構成について説明する。第９の情報処理装置６１のハードウェア構成は、図５と同様である。
【００９９】
第９の情報処理装置６１においては、図５のＣＰＵ１０１は、処理部６４、及び位置情報抽出部６６の一部または全部の機能を提供する。また位置情報抽出部６６は、入力インターフェース１０６を介して入力装置からユーザからのロット情報を受け付ける。また位置情報抽出部６６は、出力インターフェース１０７を介して、取得した位置情報を出力装置へ出力する。記憶装置１０３は、記憶部６３の一例である。測定装置１０８は、計測部６５の一例である。
【０１００】
尚、ユーザからの、例えばコマンド等の入力に応じて、処理部６４はロット管理用芯線２５のパラメータの測定指示及び位置情報の取得を開始してもよい。また、ケーブル２３が第９の情報処理装置６１から抜かれた場合や、第９の情報処理装置６１に差し込まれた場合にパラメータの再測定が行われて、測定されたパラメータが管理情報３０に格納されてもよい。
【０１０１】
また、ロット管理用芯線２５は、ケーブル両端に接続された情報処理装置間の電位差をなくすために使用することもできる。
【０１０２】
尚、本実施形態は、以上に述べた実施の形態に限定されるものではなく、本実施形態の要旨を逸脱しない範囲内で種々の構成または実施形態を取ることができる。
【０１０３】
上記実施形態に関し、更に以下の付記を開示する。
（付記１）
情報処理装置間を接続し、情報を伝達する１以上の第１の芯線と、予め設定された情報に対応付けられた形態または成分を有する１以上の第２の芯線とを含むケーブルと、
前記形態または前記成分に応じて変化する前記第２の芯線についての第１のパラメータを測定し、該測定した第１のパラメータに基いて、前記ケーブルを特定する第１の情報処理装置と、
を含むことを特徴とする情報処理システム。
（付記２）
前記形態は、前記第２の芯線の長さまたは折り返しパターンである
ことを特徴とする付記１に記載の情報処理システム。
（付記３）
前記第２の芯線は、該ケーブルのロット情報に対応付けられたパターンで折り返されている
ことを特徴とする付記１または２に記載の情報処理システム。
（付記４）
前記情報処理システムは、さらに、
前記ケーブルを介して前記第１の情報処理装置に接続される第２の情報処理装置と
を備え、
前記第２の情報処理装置は、前記形態または前記成分に応じて変化する前記第２の芯線についての第２のパラメータを測定し、該測定した第２のパラメータを前記第１の情報処理装置に送信し、
前記第１の情報処理装置は、前記第１のパラメータと前記第２のパラメータの整合性がとれているかを判定する
ことを特徴とする付記１〜３のうちいずれか１項に記載の情報処理システム。
（付記５）
前記第１のパラメータは、抵抗値、Ｓパラメータ、または時間領域反射率測定による測定値である
ことを特徴とする付記１〜４のうちいずれか１項に記載の情報処理システム。
（付記６）
前記ケーブルは、前記第２の芯線と接続された導電性素材のハウジングを有し、
前記第１の情報処理装置は、前記ハウジングを介して、前記第１のパラメータを測定する、
ことを特徴とする付記１〜５のうちいずれか１項に記載の情報処理システム。
（付記７）
情報処理装置間を接続し、情報を伝達する１以上の第１の芯線と、予め設定された情報に対応付けられた形態または成分を有する１以上の第２の芯線とを含むケーブルの該第２の芯線の形態または成分に応じて変化する前記第２の芯線についてのパラメータを測定する測定部と、
前記測定されたパラメータに基づいて、前記ケーブルを特定する特定部
を含むことを特徴とする情報処理装置。
（付記８）
前記形態は、前記第２の芯線の長さまたは折り返しパターンである
ことを特徴とする付記７に記載の情報処理装置。
（付記９）
前記第２の芯線は、該ケーブルのロット情報に対応付けられたパターンで折り返されている
ことを特徴とする付記７または８に記載の情報処理装置。
（付記１０）
前記特定部は、前記ケーブルを介して接続された他の情報処理装置から、該他の情報処理装置が測定した、前記形態または前記成分に応じて変化する前記第２の芯線についての第２のパラメータを受信し、受信した該第２のパラメータと前記第１のパラメータとの整合性がとれているかを判定する
ことを特徴とする付記７〜９のうちいずれか１項に記載の情報処理装置。
（付記１１）
前記第１のパラメータは、抵抗値、Ｓパラメータ、または時間領域反射率測定による測定値である
ことを特徴とする付記７〜１０のうちいずれか１項に記載の情報処理装置。
（付記１２）
前記ケーブルは、前記第２の芯線と接続された導電性素材のハウジングを有し、
前記測定部は、前記ハウジングを介して、前記第１のパラメータを測定する、
ことを特徴とする付記７〜１１のうちいずれか１項に記載の情報処理装置。
（付記１３）
情報を伝達する１以上の芯線と、
予め設定された情報に対応付けられた形態または成分を有する１以上の第２の芯線と
を備えることを特徴とするケーブル。
（付記１４）
前記形態は、前記第２の芯線の長さまたは折り返しパターンである
ことを特徴とする付記１３に記載のケーブル。
【符号の説明】
【０１０４】
１      ケーブル
２      第１の情報処理装置
３      第２の情報処理装置
４      第１の芯線
５      第２の芯線
【図１】
2015095187.tif 000003
【図２】
2015095187.tif 000004
【図３】
2015095187.tif 000005
【図４】
2015095187.tif 000006
【図５】
2015095187.tif 000007
【図６】
2015095187.tif 000008
【図７】
2015095187.tif 000009
【図８】
2015095187.tif 000010
【図９】
2015095187.tif 000011
【図１０】
2015095187.tif 000012
【図１１】
2015095187.tif 000013